(57)【特許請求の範囲】
【請求項１】
組立模型を組み立てるパーツを枝状ランナーで接続したランナーを少なくとも２つ有し、
前記少なくとも２つのランナーは、それぞれ円柱形状の周面の一部を構成し、前記少なくとも２つのランナーを接続して、円筒形状に組み付けられるパーツ供給品。
【請求項２】
請求項１において、
前記少なくとも２つのランナーのうち、一方の前記ランナーと他方の前記ランナーとが接続され、
前記一方のランナーの支持部にランナー接続用孔が形成され、
前記他方のランナーの支持部の前記ランナー接続用孔と対向する位置にランナー接続用ピンが形成されるパーツ供給品。
【請求項３】
請求項１または請求項２において、
前記複数のランナーを円筒形状に接続した際に、隣接するランナー間に溝部を設けたパーツ供給品。
【請求項４】
請求項１乃至請求項３のいずれか一項において、
円筒形状に接続された前記各ランナーにおいて、円弧面を形成するためのガードランナーを有するパーツ供給品。
【請求項５】
請求項１乃至請求項４のいずれか一項において、
前記ランナーから前記パーツを切り離した後の使用済みランナーを用いて、前記パーツから組み立てられた組立模型を載置する台座が形成可能であるパーツ供給品。
【請求項６】
請求項１乃至請求項５のいずれか一項において、
前記円筒形状に組み付けられたパーツ供給品の外周が包装によって覆われたパーツ供給品。
【請求項７】
請求項６において、
前記包装の前記円筒形状に組み付けられたパーツ供給品と接する面に、前記組立て模型の組立て方が記載されたパーツ供給品。
【発明の詳細な説明】
【技術分野】
【０００１】
本発明は、組立模型を組み立てるためのパーツを供給するパーツ供給品に関するものである。
【背景技術】
【０００２】
従来より、組立模型の構成部位を組み立てる複数のパーツを枝状ランナーで接続したパーツ供給品が知られている（特許文献１参照）。図７に示すように、特許文献１に記載のパーツ供給品１００は、完成品である人形体等の組立模型を構成するパーツの一部を供給するものである。例えば、左手を構成する各パーツ１０１，１０２，１０３および右手を構成する各パーツ１０４，１０５，１０６が、枝状ランナー１０８を介してランナー（支持部材）１０７により一体的に支持されて供給される。これにより、多数のパーツ１０１〜１０６が、ばらばらになることなく、整理されて供給される。
【先行技術文献】
【特許文献】
【０００３】
【特許文献１】特開２００９−１０７２７５号公報（第６図）
【発明の概要】
【発明が解決しようとする課題】
【０００４】
しかしながら、前述したような従来のパーツ供給品１００においては、全体が平面的に形成されており、製品として販売する場合に、パーツ供給品１００を単に重ねて箱に入れるのが一般的であり、かさばるという問題がある。
【０００５】
本発明において、組立模型を組み立てるパーツをコンパクトに収容することが可能なパーツ供給品を提供する。
【課題を解決するための手段】
【０００６】
本発明のパーツ供給品は、組立模型を組み立てるパーツを枝状ランナーで接続したランナーを少なくとも２つ有し、少なくとも２つのランナーは、円柱形状の周面を構成し、前記少なくとも２つのランナーを接続して、円筒形状に組み付けられる構成を有している。
【０００７】
また、本発明のパーツ供給品は、少なくとも２つのランナーのうち、一方のランナーと他方のランナーとが接続され、一方のランナーの支持部にランナー接続用孔が形成され、他方のランナーの支持部のランナー接続用孔と対向する位置にランナー接続用ピンが形成されることが好ましい。
【０００８】
また、本発明のパーツ供給品は、前記複数のランナーを円筒形状に接続した際に、隣接するランナー間に溝部を設けた構成を有していることが好ましい。
【０００９】
また、本発明のパーツ供給品は、円筒形状に接続された前記各ランナーにおいて、円弧面を形成するためのガードランナーを有する構成を有していることが好ましい。
【００１０】
また、本発明のパーツ供給品は、前記ランナーから前記パーツを切り離した後の使用済みランナーを用いて、前記パーツから組み立てられた組立模型を載置する台座が形成可能である構成を有していることが好ましい。
【００１１】
また、本発明のパーツ供給品は、円筒形状に組み付けられたパーツ供給品の外周が包装によって覆われていることが好ましい。また、包装の円筒形状に組み付けられたパーツ供給品と接する面に、組立て模型の組立て方が記載されることが好ましい。
【発明の効果】
【００１２】
本発明に係るパーツ供給品によれば、組立模型を組み立てるためのパーツをコンパクトに収容することができるパーツ供給品を提供することができる。
【図面の簡単な説明】
【００１３】
【図１】（Ａ）は本発明にかかる実施形態のパーツ供給品を包装した状態の斜視図であり、（Ｂ）は包装を取り除いた状態の斜視図である。
【図２】パーツ供給品のパーツにより組み立てられる組立模型である人形体の斜視図である。
【図３】（Ａ）ないし（Ｅ）はパーツ供給品を構成する各ランナーの平面図である。
【図４】（Ａ）はランナー同士を接合するランナー接続用孔およびランナー接続用ピンの斜視図であり、（Ｂ）および（Ｃ）はランナー接続用孔およびランナー接続用ピンの配置例を示す略図である。
【図５】使用済みランナーを用いて形成した台座の斜視図である。
【図６】使用済みランナーを用いて形成した台座に人形体を載置した状態を示す斜視図である。
【図７】従来のパーツ供給品の正面図である。
【発明を実施するための形態】
【００１４】
以下、本発明に係る好適な実施の形態について、図面を参照しながら詳細に説明する。図１（Ａ）は本発明にかかる実施形態のパーツ供給品を包装した状態の斜視図であり、（Ｂ）は包装を取り除いた状態の斜視図である。図２はパーツ供給品のパーツにより組み立てられる組立模型である人形体の斜視図である。図１に示すように、本発明にかかる実施形態のパーツ供給品１０は、組立模型である例えば人形体１１（図２参照）を組み立てるためのパーツを供給する複数のランナー２０を有しており、複数のランナーを接続して、円筒形状に組み付けられている。パーツ供給品１０は、通常はパーツ供給品を覆うように外側に包装１２が施されて、販売等される（図１（Ａ）参照）。なお、組立模型は、人形体１１に限るものではない。
【００１５】
図３（Ａ）ないし（Ｅ）はパーツ供給品を構成する各ランナーの平面図である。
図３に示すように、パーツ供給品１０は、例えば円柱形状の周面を構成する複数のランナー２０を有する。ここでは、周面を４分割する場合が示されており、ランナー２０Ａ、２０Ｂ、２０Ｃ、２０Ｄ、２０Ｅおよび蓋部２１を有する場合が示されている。なお、ランナーを総称する場合には「ランナー２０」で表示する。また、図３（Ｂ）に示すランナー２０Ｂ、２０Ｃは、２つで周面の一部を構成する。
【００１６】
図３（Ａ）〜（Ｄ）に示すように、各ランナー２０は略矩形状に一体成形されており、左右両側に支持部２４を有する。両支持部２４の間には、人形体１１を構成するパーツ２２が、枝状ランナー２３により支持されている。また、所定のランナー２０Ａ、２０Ｅには、パーツ供給品１０を円柱形状に組み付けたときに、各ランナー２０における両支持部２４の間をスムーズな円柱形状に構成する（図１（Ｂ）参照）ために、部分円弧状の周面を有するガードランナー２６が取り付けられている。
【００１７】
本実施の形態において、ガードランナー２６は、ランナー２０Ａ、２０Ｅにおいて、一体成形により枝状ランナー２３を介して接続されるものではなく、ランナー２０Ａ、２０Ｅとは別部材として成形されている。ここで、ランナー２０の一対の支持部２４に設けられている切欠２４３に端部を係合して取り付けるようになっており、図３（Ａ）に示すように、ガードランナー２６の下側には、パーツ２２が取り付けられている。また、図３（Ｅ）に示すように、蓋部２１は円板状の部材であり、工具であるセパレータ２５が取り外し可能に接続されている。ここで、セパレータ２５は、湾曲した板状部材であり、一方の端部は二股に分かれていて隙間２５１が設けられており、隙間２５１を枝状ランナー２３とパーツ２２との間に挿入して、パーツ２２を切り離すために使用される。
【００１８】
図４（Ａ）はランナー同士を接合するランナー接続用孔およびランナー接続用ピンの斜視図であり、（Ｂ）および（Ｃ）はランナー接続用孔およびランナー接続用ピンの配置例を示す略図である。図４（Ａ）に示すように、ランナー２０の支持部２４の上端部および下端部には、ランナー接続用孔２４１またはランナー接続用ピン２４２が設けられている。ランナー接続用孔２４１およびランナー接続用ピン２４２の配置は種々考えられる。例えば、図４（Ｂ）に示すように、ランナー２０における一方の支持部２４の上下端にはランナー接続用孔２４１を設け、他方の支持部２４の上下端にはランナー接続用ピン２４２を設けることができる。あるいは、図４（Ｃ）に示すように、あるランナー２０（図４（Ｃ）において左側）には四隅にランナー接続用孔２４１を設け、他方のランナー２０（図４（Ｃ）において右側）には四隅にランナー接続用ピン２４２を設けることができる。
【００１９】
このように、一方のランナーにランナー接続用孔を設け、他方のランナーの該ランナー接続用孔に対向する位置にランナー接続用ピンを設けることにより、ランナー同士を接続して円筒形状に組み付ける際に、隙間なく重ね合わせて接合することができ、かさばらず、コンパクトに収容することができる。
【００２０】
図１（Ｂ）に示すように、接続されるランナー２０，２０間には溝部１３が形成されており、円柱形状に組み付けられているパーツ供給品１０をばらしてランナー２０を取り出す際には、溝部１３にセパレータ２５を挿入してこじ開けることにより、ランナー接続用ピン２４２をランナー接続用孔２４１から抜き出して、各ランナー２０にばらすことができる。溝部１３を設けることにより、容易に各ランナー２０の接合を解除することができる。
【００２１】
図５は使用済みランナーを用いて形成した台座の斜視図である。図６は使用済みランナーを用いて形成した台座に人形体を載置した状態を示す斜視図である。図５および図６に示すように、ランナー２０からパーツ２２を切り離した後の使用済みランナー２７のみを用いて、パーツ２２から組み立てられた人形体１１を載置する台座２８を形成することができる。このように、本実施の形態のパーツ供給品では、従来はゴミとして廃棄されるため、無駄の多かったパーツを取り出した後のランナーの有効利用を図ることができる。なお、図５および図６において、使用済みランナー２７は、ランナー２０に対応している。すなわち、ランナー２０Ａからパーツ２２を取り去ったものが使用済みランナー２７Ａである。Ｂ〜Ｅについても同様である。
【００２２】
以上、説明した実施形態にかかるパーツ供給品１０によれば、人形体１１を組み立てるためのパーツ２２が枝状ランナー２３を介して取り付けられた複数のランナー２０を接続して、円筒形状に組み立てられるので、必要なパーツ２２をコンパクトに収容することができる。
【００２３】
また、隣接するランナー２０間に溝部１３を設けたので、溝部１３にセパレータ２５を挿入してこじることにより、円筒形状に接続されたランナー２０を、容易に解体することができ、パーツ２２を容易に取り出すことができる。
【００２４】
また、円弧面を形成するガードランナー２６を有するので、円弧形状に接続されたランナー２０の高さ方向の途中位置に取り付けることにより、パーツ供給品１０全体をなめらかな円柱形状とすることができる。よって、パーツ供給品の外周を覆う包装として軟質な部材（薄紙やゴム等）を用いた場合でも、包装が変形するのを防ぐことができる。
【００２５】
さらに、ランナー２０からパーツ２２を取り出した後の使用済みランナー２７のみを用いて、組み立てられた人形体１１を載置する台座２８を形成できるので、捨てる部分がなく、無駄のないパーツ供給品１０となる。
【００２６】
以上、本発明の好ましい実施形態について詳述したが、本発明に係るパーツ供給品１０は、上述した実施形態に限定されるものではなく、特許請求の範囲に記載された本発明の要旨の範囲内において、種々の変形、変化が可能である。すなわち、前述した実施形態においては、組立模型として人形体１１を採用した場合について説明したが、その他のものにも同様に適用できる。また、包装１２の裏面（パーツ供給品と接する側）に、組立方等を記載することにより、包装１２を有効に利用することができる。
【符号の説明】
【００２７】
１０  パーツ供給品
１１  人形体（組立模型）
１３  溝部
２０  ランナー
２２  パーツ
２３  枝状ランナー
２６  ガードランナー
２７  使用済みランナー
２８  台座
【図１】
0005301595.tif 000002
【図２】
0005301595.tif 000003
【図３】
0005301595.tif 000004
【図４】
0005301595.tif 000005
【図５】
0005301595.tif 000006
【図６】
0005301595.tif 000007
【図７】
0005301595.tif 000008